(57)【要約】      （修正有）【課題】電池不要のドリンクミキサーを提供する。【解決手段】ドリンクミキサーであり、本体１と、内層２と、パワーチップ３と、モータ６とを備える。パワーチップの一方の面は内層の底の外側と繋げ、他方の面は金属タンブラー底ケースの上表面と繋げる。内層の底５は、本体の底との間にスペースが形成される。モータは、タンブラーの底ケース内に設置される。モータのロータのトップは、タンブラー底ケースの上部との間の隙間に設置される。ロータには、円柱の磁石スペースが２個あり、磁石７は磁石スペースに置かれる。そのため、タンブラーに高温や低温液体を入れると、パワーチップの両面が接触するパーツに温度差が生じ、パワーチップの両面にも温度差が生じる。パワーチップは温度差で発電し、モータを駆動する。モータは磁石を回転させると同時に、磁石棒９は磁石の磁気で回転され、ミックスの目的を達成できる。【選択図】図４
0003225500.tif 000002
【実用新案登録請求の範囲】
【請求項１】
本体（１）と、前記本体の内側に設けられる内層（２）と、を備え、
前記内層の上部は、前記本体と繋げ、
前記内層の底は、前記本体の底との間にスペースが形成され、前記スペース内にはパワーチップ（３）及び底ケース（４）が設置され、
前記パワーチップの一方の面は前記内層の底の外側と繋げ、他方の面は前記底ケースの上表面と繋げ、
底（５）は、前記底ケースの下部と繋げ、
モータ（６）は、前記底ケースの中に設置され、
前記モータのロータ（６１）のトップは、前記底ケースの上部との隙間に設置され、前記ロータには、円柱の磁石スペース（６２）が２個あり、
磁石（７）は、前記磁石スペースに置かれ、
前記内層の底の内表面の前記磁石に対応する位置には、磁石棒（９）が設置されるドリンクミキサー。
【請求項２】
前記磁石と前記磁石棒との間の距離は３ｍｍ以上、１０ｍｍ以下である請求項１に記載のドリンクミキサー。
【請求項３】
前記底ケースは、磁気に影響しない金属で形成される請求項１に記載のドリンクミキサー。
【請求項４】
前記底ケースは、アルミニウム合金で作成される請求項１に記載のドリンクミキサー。
【請求項５】
前記モータは、前記パワーチップと直接連接され、
前記モータは、低圧直流モータである請求項１に記載のドリンクミキサー。
【請求項６】
前記パワーチップは、半導体発電チップである請求項１に記載のドリンクミキサー。
【請求項７】
前記磁石棒の表面は、カバー（９１）に包まれる請求項１に記載のドリンクミキサー。
【考案の詳細な説明】
【技術分野】
【０００１】
本考案はタンブラーの技術に関し、特に電池不要ドリンクミキサーに関する。
【背景技術】
【０００２】
現在のタンブラー種類が多く、特色も違う。材質で、陶磁、ガラス、プラスチック、ステンレス等を分けている。構造で単層、双層等を分けている。双層タンブラーの保温効果が比較的良いが、伝統的なタンブラーは温度を下げる機能を持っていない。現在のドリンクミキサーはミックスする際にミキサーがタンブラーのトップ或いは底に設置される。タンブラーのトップに設置される際に、ミキサーは取れるので、損害しやすい。タンブラーの底に設置される際に、底に穴あけが必要であり、タンブラーの完備性を損害し、漏れること、洗いにくい可能性があるようになる。その一方で、ミキサーは駆動装置が必要であり、一般的な駆動装置は電池の電力で駆動し、電池切れで電池交換の問題もある。
【先行技術文献】
【特許文献】
【０００３】
【特許文献１】台湾実用新案登録第Ｍ１１８３２３号
【考案の概要】
【考案が解決しようとする課題】
【０００４】
前記先行技術の不足を解決するため、電池不要ドリンクミキサーを提供する。
【課題を解決するための手段】
【０００５】
水の温度差で発電し、モータを回転させ、モータはマグネットを回転させ、強磁性でミックスさせる。磁気を使いながらタンブラーの完備性も損害しない。その目的のため、本考案は下記の技術を採用する。電池不要のドリンクミキサーは、本体と、内層と、を備える。内層の上部は本体と繋げ、内層の底は本体の底との間にスペースが形成される。スペース内には、パワーチップおよび底ケースが設置される。パワーチップの一方の面は内層底の外側と繋げ、他方の面は金属タンブラーの底ケースの上表面と繋げる。タンブラーの底は、タンブラーの底ケースの下部と繋げる。モータは、タンブラーの底ケース内に設置される。モータのロータのトップは、底ケースの上部との隙間に設置される。前記ロータには円柱の磁石スペースが２個あり、磁石は磁石スペースに置かれる。内層の底の内表面の磁石に対応する位置には、磁石棒が設置される。モータは、磁石を回転させると同時に磁石棒も回転することで磁気を生成し、水をミックスする。タンブラーにお湯など高温液体を入れると、パワーチップの両側が繋げる部分は温度差があるため、パワーチップの両側も温度差を生成し、パワーチップは温度差で発電しモータに駆動し、モータは磁石を回転させる。磁石棒は、磁石の磁気に影響され回転し、ミックスという目的を達成できる。
【図面の簡単な説明】
【０００６】
【図１】本考案の一実施形態によるドリンクミキサーの斜視図。
【図２】本考案の一実施形態によるモータのロータの模式図。
【図３】本考案の一実施形態によるパワーチップの斜視図。
【図４】本考案の一実施形態によるドリンクミキサーの断面図。
【考案を実施するための形態】
【０００７】
（一実施形態）
本考案の斜視図、モータのロータの模式図、パワーチップの斜視図、断面図である図１、図２、図３及び図４に示す通り、本考案は、電池不要ドリンクタンブラーであり、一実施形態では、本体１及び内層２を備える。内層２の上部は本体１と繋げ、内層２の底は本体１の底との間にスペースが形成される。スペース内には、パワーチップ３及び底ケース４が設置される。パワーチップ３の一面は内層２の底の外側と繋げ、一面は金属タンブラー底ケース４の上表面と繋げる。本体１の底５は、底ケース４の下部と繋げる。
【０００８】
モータ６は、底ケース４の中に設置される。パワーチップ３は、モータ６と繋げる。モータ６のロータ６１のトップは、底ケース４の上部との隙間に設置される。ロータ６１には円柱の磁石スペース６２が２個あり、磁石７は磁石スペース６２に置かれる。内層２の底の内表面が対応する位置には、磁石棒９を設置される。磁石棒９は、カバー９１に包まれる。磁石棒９を保護する以外に、磁石棒９と内層２間の摩擦を下げられる。これにより、モータ６が磁石７を回転させると同時に磁石棒９が磁石７の磁気に影響され回転し、内層２中の液体に対しミックスできる。
【０００９】
本実施形態によるパワーチップ３は、半導体材質で作成され、熱電材料であり、「熱エネルギー」及び「電力量」を直接交換できる材料であり、温度差で発電できる。タンブラーの内層２は穴あけしないまま完備の内層であり、底は直接半導体パワーチップ３の吸熱端と繋げ、吸熱端とお湯は完全な接触があることを保証できる。半導体パワーチップ３の底はアルミニウム合金製円柱の底ケース４と連接される。底ケース４は、鉄、コバルト、ニッケル等、磁気に影響する金属材質で作成できない。底ケース４の中にはモータ６が設置され、ロータ６１に円柱の磁石スペース６２が２個設置される。
【００１０】
モータ６にある２個の磁石７及びタンブラー内の磁石棒９との距離は、お湯の温度が７０〜１００℃の間で最大利用率を保証できる距離である。磁石７と磁石棒９の距離が短い際に、両者との吸着が堅固になるが、摩擦が過大で、温度差が小さい際に電力量は足りない。磁石７と磁石棒９の距離が長い際に、両者との吸着が小さくなるが、モータ６が高速回転する際に、磁石棒９は液体の抗力を抵抗できなくなる。磁石７と磁石棒９との吸着は、遠心力及び高速回転の液体抗力の克服が必要である。
【００１１】
本実施形態では、磁石７と磁石棒９の距離は３ｍｍ以上、１０ｍｍ以下である。
【００１２】
本実施形態の原理は、使用する際に、タンブラーに７０〜１００℃のお湯を入れると、内層２の外表面の温度は底ケース４の外表面の温度より高くなる。両者には温度差が生じるため、半導体パワーチップ３は両者と接着する表面に温度差が生じる。パワーチップ３は温度差で発電し、モータ６を回転させ、モータ６は磁石７を回転させ、磁気が発生され、タンブラー中の液体をミックスし、温度を下げさせる。
【００１３】
洗う際に、タンブラーに低温の液体、例えば水、を入れる。内層２の外表面の温度は下部底ケース４の外表面の温度より低くなり、温度差が生じる。パワーチップ３は温度差で発電し、モータ６は逆方向回転し、洗う目的を達成できる。
【００１４】
本実施形態の電池不要ドリンクミキサーは人員の歩行中や移動中の車に放置でも影響されない。角運動量保存則なので、その大小は物体の慣性モーメント及び回転の角速度により決められる。上の磁石棒９と下のモータ６とが同時に高速回転する際に、タンブラーが傾き、角運動量の方向は垂直になる。回転方向でトルクを受けられないので、角運動量保存則になる。回転する際に、磁石棒９は高速の液体抗力及び傾きの遠心力を克服できる。
【００１５】
現在の技術と比較すると、本考案は下記のメリットがある。パワーチップは、お湯の温度差で発電を行い、モータの回転をさせる。モータ６に磁石７が設置され、磁石７はモータ６の回転で磁気を生成し、タンブラー中の水をミックスし、放熱の目的を達成できる。磁気でミックスを行い電池不要のメリットを実現する。
モータ６は、パワーチップ３と直接連接する。半導体が生成する電気に対し電圧の上昇や安定させるための回路が不要である。全ての回路は損耗があり、生成される電気にとっては浪費になる。低圧モータを使用し、直接パワーチップと連接し、エネルギーの利用を最大化にする。モータ６の駆動電圧の範囲は広く、パワーチップが温度差による波動を変化する電圧に対応する。
タンブラーの中でお湯や他の液体が放熱後、水で洗う際に、タンブラー中の磁石棒を逆回転させ、タンブラーを洗うことを実現させる。
【００１６】
前記明細書の掲載及び指導により、本考案を所属する技術人員は上記実施方法を変更及び修正を行えるので、前記した本考案の実施形態は本考案を限定するものではなく、よって、本考案により保護される範囲は実用新案登録請求の範囲を基準とする。
【符号の説明】
【００１７】
１    本体
２    内層
３    パワーチップ
４    底ケース
５    底
６    モータ
６１  ロータ
６２  磁石スペース
７    磁石
９    磁石棒
９１  カバー
【図１】
0003225500.tif 000003
【図２】
0003225500.tif 000004
【図３】
0003225500.tif 000005
【図４】
0003225500.tif 000006